(57)【要約】【課題】周溝状の係止部を備えたキーホルダ等を鍵穴状の係止部を備えた鍵掛け具に係止可能にするキーホルダ用係止部材を提供すること。【解決手段】周溝状の係止部２１を備えたキーホルダ２及び鍵穴状の係止部３１を備えた鍵掛け具３に係止可能な先端部を大径に形成した係止部１１を少なくとも２個備えてなるキーホルダ用係止部材１。【選択図】図３
0003108638.tif 000002
【実用新案登録請求の範囲】
【請求項１】
周溝状の係止部を備えたキーホルダ及び鍵穴状の係止部を備えた鍵掛け具に係止可能な先端部を大径に形成した係止部を少なくとも２個備えてなることを特徴とするキーホルダ用係止部材。
【請求項２】
取付環に、先端部を大径に形成した係止部を備えた係止片を少なくとも２個配してなることを特徴とする請求項１記載のキーホルダ用係止部材。
【請求項３】
両端部に大径に形成した係止部を備えた係止片からなることを特徴とする請求項１記載のキーホルダ用係止部材。
【考案の詳細な説明】
【技術分野】
【０００１】
本考案は、キーホルダ用係止部材に関し、特に、周溝状の係止部を備えたキーホルダ等を鍵穴状の係止部を備えた鍵掛け具に係止可能にするためのキーホルダ用係止部材に関するものである。
【背景技術】
【０００２】
従来、周溝状の係止部を備えたキーホルダが汎用されている（例えば、特許文献１参照）。
このキーホルダは、周溝状の係止部を備えたキーホルダ本体と、取付環及びこの取付環に配した先端部を大径に形成した係止部を備えた係止片からなる鍵取付部材とからなり、キーホルダの周溝状の係止部に１箇所に形成した開口部を介して、取付環に配した係止片の先端部を大径に形成した係止部を出し入れすることにより、任意の個数の鍵取付部材をキーホルダ本体に取り付けることができるようにしている。
【０００３】
ところで、このキーホルダは、上記のとおり、任意の個数の取付環をキーホルダ本体に取り付けることができるため、複数個の鍵を簡易に保持できる利点がある反面、適当な保管手段がなく、置き場所に困ったり、紛失する等の問題があった。
【特許文献１】特開２００３−２３５７１４号公報
【考案の開示】
【考案が解決しようとする課題】
【０００４】
本考案は、上記従来の周溝状の係止部を備えたキーホルダの有する問題点に鑑み、周溝状の係止部を備えたキーホルダ等を鍵穴状の係止部を備えた鍵掛け具に係止可能にするキーホルダ用係止部材を提供することを目的とする。
【課題を解決するための手段】
【０００５】
上記目的を達成するため、本考案のキーホルダ用係止部材は、周溝状の係止部を備えたキーホルダ及び鍵穴状の係止部を備えた鍵掛け具に係止可能な先端部を大径に形成した係止部を少なくとも２個備えてなることを特徴とする。
【０００６】
この場合において、キーホルダ用係止部材を、取付環に、先端部を大径に形成した係止部を備えた係止片を少なくとも２個配して構成することができる。
【０００７】
また、キーホルダ用係止部材を、両端部に大径に形成した係止部を備えた係止片から構成することができる。
【考案の効果】
【０００８】
本考案のキーホルダ用係止部材によれば、周溝状の係止部を備えたキーホルダ及び鍵穴状の係止部を備えた鍵掛け具に係止可能な先端部を大径に形成した係止部を少なくとも２個備えてなることから、一方の係止部をキーホルダの周溝状の係止部に係止した状態で、他方の係止部を鍵掛け具の鍵穴状の係止部に係止することにより、周溝状の係止部を備えたキーホルダを鍵穴状の係止部を備えた鍵掛け具に係止することができる。
【０００９】
また、キーホルダ用係止部材を、取付環に、先端部を大径に形成した係止部を備えた係止片を少なくとも２個配して構成することにより、係止部の動きの自由度を大きく取ることができ、キーホルダの鍵穴状の係止部を備えた鍵掛け具への係止を容易に行うことができる。
【００１０】
また、キーホルダ用係止部材を、両端部に大径に形成した係止部を備えた係止片から構成することにより、係止部材をコンパクトに形成することができる。
【考案を実施するための最良の形態】
【００１１】
以下、本考案のキーホルダ用係止部材の実施の形態を図面に基づいて説明する。
【実施例１】
【００１２】
図１（ａ）に、本考案のキーホルダ用係止部材の一実施例を示す。
このキーホルダ用係止部材１は、図２に示すような周溝状の係止部２１を備えたキーホルダ２及び図３に示すような鍵穴状の係止部３１を備えた鍵掛け具３に係止可能な先端部を大径に形成した係止部１１を２個（少なくとも２個で、３個以上でもよい。）備えるようにしている。
【００１３】
より具体的には、キーホルダ用係止部材１は、取付環１２に、先端部を大径に形成した係止部１１を備えた係止片１１Ａを２個（少なくとも２個で、３個以上でもよい。）、必要に応じて、連結環１３を介して配して構成するようにしている。
これにより、キーホルダ用係止部材１の係止部１１の動きの自由度を大きく取ることができ、キーホルダ２の鍵穴状の係止部３１を備えた鍵掛け具３への係止を容易に行うことができる。
【００１４】
また、キーホルダ用係止部材１は、上記のもののほか、例えば、図１（ｂ）に示す変形実施例のように、両端部に大径に形成した係止部１１を備えた係止片１１Ｂから構成することができる。
これにより、キーホルダ用係止部材１をコンパクトに形成することができる。
【００１５】
ここで、キーホルダ２には、特に限定されるものではないが、例えば、図２に示すような汎用のキーホルダを用いることができる。
このキーホルダ２は、周溝状の係止部２１を備えたキーホルダ本体２０と、取付環１２及びこの取付環１２に配した先端部を大径に形成した係止部１１を備えた係止片１１Ａからなる鍵取付部材１０とからなる。
そして、キーホルダ本体２０の周溝状の係止部２１に１箇所に形成した開口部２１ａを操作部２２を操作することにより開口し、この開口部２１ａを介して、取付環１２に配した係止片１１Ａの先端部を大径に形成した係止部１１を出し入れすることにより、任意の個数の鍵取付部材１０をキーホルダ本体２０に取り付けることができるようにしている。
【００１６】
一方、鍵掛け具３には、特に限定されるものではないが、例えば、図３〜図４に示すような鍵穴状の係止部３１を備えた鍵掛け具を用いることができる。
この鍵掛け具３は、キーホルダ用係止部材１の係止片１１Ａ、１１Ｂや鍵取付部材１０の係止片１１Ａの先端部を大径に形成した係止部１１が挿通可能な大径の孔部３１ａと、この孔部３１ａに連続して形成した、孔部３１ａに挿通された係止部１１が抜け出ることなく摺動できる幅の溝孔部３１ｂとからなる鍵穴状の係止部３１を穿設したアルミニウム製等の金属板を折り曲げて形成したものである。
そして、図３（ａ）に示すように、鍵掛け具３の鍵穴状の係止部３１の孔部３１ａを介して、キーホルダ用係止部材１の係止片１１Ａ、１１Ｂや鍵取付部材１０の係止片１１Ａの先端部を大径に形成した係止部１１を出し入れすることにより、キーホルダ用係止部材１や鍵取付部材１０を鍵掛け具３に取り付けることができるようにしている。
また、この鍵掛け具３は、図４（ａ）に示すように、背面の取付部３２に貼着した両面テープ３３を介して壁、ドア等に固定するほか、図４（ｂ）に示すように、さらに、マグネットシート３４を介して金属製のドア等に固定することができる。
【００１７】
ところで、図１（ａ）のキーホルダ用係止部材１には、例えば、図５に示すように、取付環１２を介して、ワイヤー４１を引出可能に配設したワイヤーリール式キーホルダ４を装着することもできる。
これにより、ワイヤーリール式キーホルダ４を、キーホルダ２等と共に、鍵穴状の係止部３１を備えた鍵掛け具３に係止することができる。
【００１８】
このキーホルダ用係止部材１によれば、周溝状の係止部２１を備えたキーホルダ２及び鍵穴状の係止部３１を備えた鍵掛け具３に係止可能な先端部を大径に形成した係止部１１を少なくとも２個備えてなることから、一方の係止部１１をキーホルダ２の周溝状の係止部２１に係止した状態で、他方の係止部１１を鍵掛け具３の鍵穴状の係止部３１に係止することにより、周溝状の係止部２１を備えたキーホルダ２を鍵穴状の係止部３１を備えた鍵掛け具３に係止することができ、キーホルダ２の置き場所に困ったり、キーホルダ２を紛失する等の問題を解消することができる。
【００１９】
以上、本考案のキーホルダ用係止部材について、その実施例に基づいて説明したが、本考案は上記実施例に記載した構成に限定されるものではなく、その趣旨を逸脱しない範囲において適宜その構成を変更することができるものである。
【産業上の利用可能性】
【００２０】
本考案のキーホルダ用係止部材は、鍵穴状の係止部を備えた鍵掛け具に、周溝状の係止部を備えたキーホルダを係止することができるほか、例えば、ワイヤーリール式キーホルダ等のキーアクセサリを同じ鍵掛け具に係止する用途にも用いることができる。
【図面の簡単な説明】
【００２１】
【図１】本考案のキーホルダ用係止部材を示し、（ａ）はその一実施例、（ｂ）はその変形実施例である。
【図２】キーホルダの一例を示す説明図である。
【図３】鍵掛け具を示し、（ａ）は正面図、（ｂ）は（ａ）のＸ−Ｘ断面図である。
【図４】鍵掛け具の固定方法を示す説明図である。
【図５】ワイヤーリール式キーホルダの説明図である。
【符号の説明】
【００２２】
１    キーホルダ用係止部材
１０  鍵取付部材
１１  係止部
１１Ａ  係止片
１１Ｂ  係止片
１２    取付環
２    キーホルダ
２０  キーホルダ本体
２１  係止部
３    鍵掛け具
３１  係止部
４    ワイヤーリール式キーホルダ
【図１】
0003108638.tif 000003
【図２】
0003108638.tif 000004
【図３】
0003108638.tif 000005
【図４】
0003108638.tif 000006
【図５】
0003108638.tif 000007